(57)【特許請求の範囲】
【請求項１】
刃体を有する剃刀ヘッドをホルダの頭部に有する剃刀において、ホルダの外周にはこの剃刀ヘッドを有する頭部側からその反対側になる尻部側にわたり把持面を設け、その把持面には頭部側と尻部側とを結ぶ長手方向とその長手方向に対し交差する幅方向とでそれぞれ互いに間隔をあけて並ぶ複数の突起を頭部側と尻部側とにわたり設け、この把持面をホルダの長手方向で頭部側領域と尻部側領域とに二区分し、この把持面の頭部側領域に設けた各突起とこの把持面の尻部側領域に設けた各突起とのうち、一方は他方よりも把持面に沿う外周縁間最大寸法の小さい各突起を多く含むことを特徴とする剃刀。
【請求項２】
前記把持面の頭部側領域に設けた各突起は、把持面の尻部側領域に設けた各突起よりも把持面に沿う外周縁間最大寸法の小さい各突起を多く含むことを特徴とする請求項１に記載の剃刀。
【請求項３】
前記ホルダにおいて剃刀ヘッドの刃体が露出する側を腹側とするとともにその腹側に対する反対側を背側とし、前記把持面はホルダの腹側に設けられていることを特徴とする請求項１または請求項２に記載の剃刀。
【請求項４】
前記把持面の幅方向寸法のうち、頭部側領域には最も小さい幅方向寸法を含み、尻部側領域には最も大きい幅方向寸法を含むことを特徴とする請求項３に記載の剃刀。
【請求項５】
前記ホルダの背側に設けた把持面に対する前記腹側の把持面の厚み方向寸法のうち、頭部側領域には最も小さい厚み方向寸法を含み、尻部側領域には最も大きい厚み方向寸法を含むことを特徴とする請求項４に記載の剃刀。
【発明の詳細な説明】
【技術分野】
【０００１】
本発明は、刃体を有する剃刀ヘッドをホルダの頭部に有する剃刀に係り、特にホルダの把持面の改良に関するものである。
【背景技術】
【０００２】
従来、下記特許文献１では、ホルダの外周に設けられた把持面に複数の突起が頭部側と尻部側とにわたり長手方向と幅方向とでそれぞれ互いに略均一な間隔をあけて並設されている。
【先行技術文献】
【特許文献】
【０００３】
【特許文献１】意匠登録第１０９５１７３号公報
【発明の概要】
【発明が解決しようとする課題】
【０００４】
上記特許文献１では、把持面の各突起の大きさや外形状が略同じであるため、使用時にホルダを把持した際に、ホルダを見ない限り、ホルダの向きを容易に認識することができず、剃刀の使い勝手が悪くなっていた。
【０００５】
この発明は、剃刀の使い勝手を良くすることを目的としている。
【課題を解決するための手段】
【０００６】
後記実施形態の図面（図１〜４）の符号を援用して本発明を説明する。
請求項１の発明にかかる剃刀は、下記のように構成されている。
刃体２ａを有する剃刀ヘッド２をホルダ３の頭部４に有している。ホルダ３の外周にはこの剃刀ヘッド２を有する頭部４側からその反対側になる尻部５ａ側にわたり把持面１６を設けている。その把持面１６には頭部４側と尻部５ａ側とを結ぶ長手方向とその長手方向に対し交差する幅方向とでそれぞれ互いに間隔をあけて並ぶ複数の突起１８を頭部４側と尻部５ａ側とにわたり設けている。この把持面１６をホルダ３の長手方向で頭部側領域Ｐと尻部側領域Ｑとに二区分し、この把持面１６の頭部側領域Ｐに設けた各突起１８とこの把持面１６の尻部側領域Ｑに設けた各突起１８とのうち、一方は他方よりも把持面１６に沿う外周縁間最大寸法Ｄの小さい各突起１８を多く含む。例えば、前記把持面１６において頭端部１６ａと尻端部１６ｂとの間の中央部１６ｃよりも頭端部１６ａ側を頭部側領域Ｐにするとともに尻端部１６ｂ側を尻部側領域Ｑにした。請求項１の発明では、把持面１６の各突起１８における外周縁間最大寸法Ｄがホルダ３の長手方向で変化するため、使用時にホルダ３を把持した際に、ホルダ３を見なくても、ホルダ３を把持しただけの感触によりホルダ３の向きを容易に認識することができる。
【０００７】
請求項１の発明を前提とする請求項２の発明において、前記把持面１６の頭部側領域Ｐに設けた各突起１８は、把持面１６の尻部側領域Ｑに設けた各突起１８よりも把持面１６に沿う外周縁間最大寸法Ｄの小さい各突起１８を多く含む。例えば、各突起１８の外周縁間最大寸法Ｄについては、頭部側領域Ｐが尻部側領域Ｑよりも小さくなっている。請求項２の発明では、把持面１６の頭部側領域Ｐで外周縁間最大寸法Ｄの小さい各突起１８が把持面１６の尻部側領域Ｑよりも多く集まっているため、使用時にホルダ３を把持した際に、ホルダ３を見なくても、ホルダ３を把持しただけの感触によりホルダ３の向きを容易に認識することができる。また、把持面１６の尻部側領域Ｑで外周縁間最大寸法Ｄの大きい各突起１８が把持面１６の頭部側領域Ｐよりも多く集まっているため、使用時にホルダ３を把持した際に、腹面積の大きい親指側よりも腹面積の小さい小指側が尻部側領域Ｑの各突起１８に接触し、把持面１６に対する感触や安定性を良くしてホルダ３を把持し易い。
【０００８】
請求項１または請求項２の発明を前提とする請求項３の発明にかかるホルダ３において、剃刀ヘッド２の刃体２ａが露出する側を腹側とするとともにその腹側に対する反対側を背側とし、前記把持面１６はホルダ３の腹側に設けられている。請求項３の発明では、使用時にホルダ３を把持した際に各指の腹面が接触し易いホルダ３の腹側に、各突起１８を有する把持面１６を設けたので、請求項１または請求項２の発明の効果を効率的に発揮させることができる。
【０００９】
請求項３の発明を前提とする請求項４の発明において、前記把持面１６の幅方向寸法のうち、頭部側領域Ｐには最も小さい幅方向寸法ＷＳを含み、尻部側領域Ｑには最も大きい幅方向寸法ＷＢを含む。例えば、把持面１６の幅方向寸法については、頭部側領域Ｐが尻部側領域Ｑよりも小さくなっている。請求項４の発明では、ホルダ３を幅方向において尻部側領域Ｑよりも頭部側領域Ｐで細くして頭部側領域Ｐよりも尻部側領域Ｑで太くすることができるため、尻部側領域Ｑを例えば手の平と薬指と小指とで包み込むように把持する際にも安定してしっかりと把持することができ、使用時にホルダ３を把持し易い。
【００１０】
請求項４の発明を前提とする請求項５の発明において、前記ホルダ３の背側に設けた把持面１７に対する前記腹側の把持面１６の厚み方向寸法のうち、頭部側領域Ｐには最も小さい厚み方向寸法ＴＳを含み、尻部側領域Ｑには最も大きい厚み方向寸法ＴＢを含む。例えば、ホルダ３の厚み方向寸法については、頭部側領域Ｐが尻部側領域Ｑよりも小さくなっている。請求項５の発明では、ホルダ３を厚み方向でも尻部側領域Ｑよりも頭部側領域Ｐで細くして頭部側領域Ｐよりも尻部側領域Ｑで太くすることができるため、尻部側領域Ｑを例えば手の平と薬指と小指とで包み込むように把持する際にも安定してしっかりと把持することができ、使用時にホルダ３を把持し易い。
【００１１】
次に、請求項以外の技術的思想について実施形態の図面の符号を援用して説明する。
請求項３または請求項４または請求項５の発明を前提とする第６の発明において、前記ホルダ３の腹側の把持面１６は、前記ホルダ３の背側に設けた把持面１７よりも軟質の樹脂により成形されている。第６の発明では、使用時にホルダ３を把持した際に各指の腹面が接触し易い腹側の把持面１６が軟質の樹脂により成形されているため、把持面１６に対する感触や安定性を良くしてホルダ３を把持し易い。
【００１２】
請求項１から請求項５のうちいずれか一つの請求項の発明、または第６の発明を前提とする第７の発明において、前記ホルダ３の頭部４には前記剃刀ヘッド２が操作部１４により着脱可能に支持され、このホルダ３の頭部４は剃刀ヘッド２の刃体２ａが露出する側である腹側とその腹側に対して反対側の背側との間で貫通する孔１５を有し、この孔１５の内周で囲まれた領域に前記操作部１４を操作可能に露出させた。第７の発明では、頭部４の孔１５の内側領域に操作部１４があるため、操作部１４に対する不用意な操作を防止することができる。
【００１３】
請求項１から請求項５のうちいずれか一つの請求項の発明、または第６の発明または第７の発明を前提とする第８の発明にかかる各突起１８において、把持面１６からの高さＨは外周縁間最大寸法Ｄの小さい突起１８ほど小さくなっている。第８の発明では、把持面１６の尻部側領域Ｑで外周縁間最大寸法Ｄ及び高さＨの大きい各突起１８が把持面１６の頭部側領域Ｐよりも多く集まっているため、使用時にホルダ３を把持した際に、腹面積の大きい親指側よりも腹面積の小さい小指側が尻部側領域Ｑの各突起１８に接触し、把持面１６に対する感触や安定性を良くしてホルダ３を把持し易い。
【００１４】
請求項４または請求項５の発明を前提とする第９の発明において、前記把持面１６の最大幅方向寸法ＷＢの部分には外周縁間最大寸法Ｄが最も大きい突起１８が設けられ、前記把持面１６の最小幅方向寸法ＷＳの部分には外周縁間最大寸法Ｄが最も小さい突起１８が設けられている。第９の発明では、使用時に把持面１６に対する感触や安定性を良くしてホルダ３を把持し易い。
【００１５】
請求項５の発明を前提とする第１０の発明において、前記腹側の把持面１６の最大幅方向寸法ＷＢの部分は前記腹側の把持面１６の最大厚み方向寸法ＴＢの部分と一致している。第１０の発明では、使用時に把持面１６に対する感触や安定性を良くしてホルダ３を把持し易い。
【発明の効果】
【００１６】
本発明は、把持面１６の各突起１８における大きさがホルダ３の長手方向で変化するため、ホルダ３を見なくても、ホルダ３を把持しただけの感触によりホルダ３の向きを容易に認識して、剃刀の使い勝手を良くすることができる。
【図面の簡単な説明】
【００１７】
【図１】（ａ）は本実施形態にかかる首振り式剃刀においてホルダの腹側を示す斜視図であり、（ｂ）は同じくホルダの背側を示す斜視図である。
【図２】（ａ）は本実施形態にかかる首振り式剃刀の正面図であり、（ｂ）は同じく側面図であり、（ｃ）は同じく背面図であり、（ｄ）は同じく平面図であり、（ｅ）はこの首振り式剃刀において剃刀ヘッドを取り外したホルダの頭部を示す部分底面図であり、（ｆ）は同じく部分平面図である。
【図３】（ａ）は図２（ａ）に示すホルダの腹側の把持面を示す部分拡大正面図であり、（ｂ）は図２（ｂ）に示すホルダの腹側の把持面を示す部分拡大側面図である。
【図４】（ａ）は本実施形態にかかる首振り式剃刀において側面側から見た縦断面図であり、（ｂ）（ｃ）はそれぞれ（ａ）の部分横断面図であり、（ｄ）（ｆ）はそれぞれ図３（ａ）の部分拡大図であり、（ｅ）（ｇ）はそれぞれ図４（ａ）の部分拡大図である。
【図５】（ａ）は第一参考例にかかる剃刀ケースを分解して示す斜視図であり、（ｂ）は前記実施形態の首振り式剃刀を示す斜視図であり、（ｃ）はその首振り式剃刀を保管する保管台である。
【図６】第一参考例の剃刀ケースの組付け手順の一例を示す斜視図である。
【図７】第一参考例の剃刀ケースの組付け手順の一例を示す斜視図である。
【図８】第一参考例の剃刀ケースの組付け手順の一例を示す斜視図である。
【図９】第一参考例の剃刀ケースの組付け手順の一例を示す斜視図である。
【図１０】第一参考例の剃刀ケースの組付け斜視図である。
【図１１】第一参考例の剃刀ケースの組付け斜視図である。
【図１２】（ａ）は第二参考例にかかる剃刀ケースを分解して示す斜視図であり、（ｂ）は前記実施形態の首振り式剃刀を示す斜視図であり、（ｃ）はその首振り式剃刀を保管する保管台である。
【図１３】第二参考例の剃刀ケースの組付け手順の一例を示す斜視図である。
【図１４】第二参考例の剃刀ケースの組付け手順の一例を示す斜視図である。
【図１５】第二参考例の剃刀ケースの組付け手順の一例を示す斜視図である。
【図１６】第二参考例の剃刀ケースの組付け斜視図である。
【図１７】第二参考例の剃刀ケースの組付け斜視図である。
【図１８】前記実施形態の首振り式剃刀の保管状態の一例を示す側面図である。
【発明を実施するための形態】
【００１８】
まず、本発明の一実施形態に係る首振り式剃刀について図１〜４を参照して説明する。
図１及び図２に示す首振り式剃刀１は、刃体２ａが組み込まれた剃刀ヘッド２と、その剃刀ヘッド２が着脱可能に支持された頭部４からその頭部４に対して反対側になる尻部５ａにわたり長手方向へ延びる把持部５を有するホルダ３とからなる。このホルダ３において、頭部４と把持部５とにわたり形成された金属製の本体６は、長手方向に対し直交する幅方向の両側で長手方向へ延びる側枠部６ａと、この両側枠部６ａが頭部４で互いに連続する頭枠部６ｂと、この両側枠部６ａが尻部５ａで互いに連続する尻枠部６ｃとからなる。この両側枠部６ａと頭枠部６ｂと尻枠部６ｃとの間には図４（ａ）（ｂ）（ｃ）に示すように空間部６ｄが形成されている。
【００１９】
前記ホルダ３の把持部５においては、長手方向及び幅方向に対し直交する厚み方向の両側のうち、剃刀ヘッド２の刃体２ａ側になる両側枠部６ａ間の腹側には樹脂製の把持部材７が嵌め込まれているとともに、その腹側に対して反対側になる両側枠部６ａ間の背側には樹脂製の把持部材８が嵌め込まれ、この腹側把持部材７の内側と背側把持部材８の内側とが空間部６ｄを介して相対向している。この腹側把持部材７は、互いに一体成形された内板部９と外板部１０とにより二重構造をなしている。この腹側把持部材７の外板部１０はこの背側把持部材８や腹側把持部材７の内板部９よりも軟質の樹脂、例えばエラストマ樹脂やシリコーン樹脂により成形されている。ちなみに、この軟質樹脂の硬度としては、ショアＡ３０〜６０が好ましく、実施形態ではショアＡ４０程度に設定されている。
【００２０】
前記ホルダ３の頭部４において、頭枠部６ｂには支持機構（図示せず）が組み込まれた機構収容部１１が取着され、この機構収容部１１の前端部で幅方向両側にはこの支持機構の一部である支持腕１２及びプッシャ１３が互いに並んで突出しているとともに、この支持機構の一部である操作部１４（押しボタン等）が空間部６ｄに露出して腹側把持部材７及び背側把持部材８の頭端部７ａ，８ａに対向している。この頭端部７ａ，８ａと機構収容部１１と両側枠部６ａとの間で空間部６ｄの一部が開放されて腹側と背側との間で孔１５が貫通されている。この操作部１４はこの孔１５の内周で囲まれた領域で孔１５に入れた指により操作可能に露出している。この頭端部７ａ，８ａは孔１５に入れた指を当てることができる指当部としても機能する。前記剃刀ヘッド２は、この操作部１４により開閉可能な両支持腕１２で着脱可能に支持され、両プッシャ１３により押圧されて静止位置に保持されるとともに、その静止位置から両支持腕１２を中心に両プッシャ１３の弾性に抗して回動して首振りし得る。
【００２１】
前記ホルダ３の把持部５の外周は、腹側把持部材７の外板部１０の把持面１６と、背側把持部材８の把持面１７と、両側枠部６ａの外面と、尻枠部６ｃの外面とからなる。腹側把持部材７の外板部１０の把持面１６は、図４（ｂ）（ｃ）に示すように、幅方向中央部ほど高くなるように曲面状に湾曲している。背側把持部材８の把持面１７は略平坦になっている。背側把持部材８の把持面１７には、柔らかい感触を持たせて指触りを良くしたり、滑り止め効果を高めたり、擦り傷を生じにくくしたり、汚れにくくするために、ウレタン塗料に硬化剤を混ぜた２液ウレタン塗料にシンナーを加えたものがスプレーや刷毛などにより塗布されている。
【００２２】
腹側把持部材７の頭端部７ａで内板部９に形成された屈曲部９ａと外板部１０に形成された屈曲部１０ａとが互いに重合されてホルダ３の頭部４の両側枠部６ａに係止されているとともに、背側把持部材８の頭端部８ａに形成された屈曲部１７ａが内板部９の屈曲部９ａに重合されて係止されている。腹側把持部材７の尻端部７ｂで内板部９に形成された屈曲部９ｂと背側把持部材８の尻端部８ｂに形成された屈曲部１７ｂとがそれぞれホルダ３の尻部５ａの尻枠部６ｃに係止されている。腹側把持部材７及び背側把持部材８は、これらの屈曲部９ｂ，１７ｂを尻枠部６ｃに係止した後に、これらの屈曲部９ａ，１０ａを両側枠部６ａに係止するとともに、これらの屈曲部９ａ，１７ａを互いに係止して、ホルダ３の本体６に嵌め込まれる。
【００２３】
特に、腹側把持部材７の外板部１０の把持面１６は下記＊のような形態的特徴を有している。
＊  把持面１６において頭端部１６ａと尻端部１６ｂとの間の中央部１６ｃよりも頭端部１６ａ側を頭部側領域Ｐにするとともに尻端部１６ｂ側を尻部側領域Ｑにして二区分した場合、図３（ａ）に示すように、把持面１６の正面視の外形状については、幅方向両側で線対称をなし、頭部側領域Ｐで頭端部１６ａと中央部１６ｃとの間の部分が幅方向内側へ窪んでいるとともに、尻部側領域Ｑで中央部１６ｃと尻端部１６ｂとの間の部分が幅方向外側へ膨らんでいる。従って、把持面１６の幅方向寸法のうち、頭部側領域Ｐには頭端部１６ａと中央部１６ｃとの間の中央位置付近で最も小さい幅方向寸法ＷＳが形成され、尻部側領域Ｑには中央部１６ｃと尻端部１６ｂとの間の中央位置付近で最も大きい幅方向寸法ＷＢが形成されている。ちなみに、把持面１６において、頭端部１６ａと尻端部１６ｂとの間の長さは約９０ｍｍ、幅方向寸法ＷＳは約１０ｍｍ、幅方向寸法ＷＢは約１７ｍｍにそれぞれ設定されている。
【００２４】
＊  図３（ｂ）に示すように、把持面１６の側面視の外形状については、頭部側領域Ｐで頭端部１６ａと中央部１６ｃとの間の部分が厚み方向へ窪んでいるとともに、尻部側領域Ｑで中央部１６ｃと尻端部１６ｂとの間の部分が厚み方向へ膨らんでいる。従って、図４（ａ）（ｂ）（ｃ）に示すようにホルダ３の背側に設けた把持面１７に対する腹側の把持面１６の厚み方向寸法のうち、頭部側領域Ｐには頭端部１６ａと中央部１６ｃとの間の中央位置付近で最も小さい厚み方向寸法ＴＳが形成され、尻部側領域Ｑには中央部１６ｃと尻端部１６ｂとの間の中央位置付近で最も大きい厚み方向寸法ＴＢが形成されている。ちなみに、把持面１６において、厚み方向寸法ＴＳは約１０ｍｍ、厚み方向寸法ＴＢは約１６ｍｍにそれぞれ設定されている。
【００２５】
＊  図３（ａ）（ｂ）に示すように、把持面１６の尻部側領域Ｑにおいて、腹側の把持面１６の最大幅方向寸法ＷＢの部分付近は腹側の把持面１６の最大厚み方向寸法ＴＢの部分付近と一致している。
【００２６】
＊  図３（ａ）（ｂ）に示すように、把持面１６には長手方向と幅方向とでそれぞれ互いに間隔をあけて並ぶ複数の突起１８が幅方向両側で非線対称をなして頭部４側と尻部５ａ側とにわたり形成されている。各突起１８の表面については、球面の一部であって、図４（ｄ）（ｆ）に示すように把持面１６の正面視の外形状が円形をなすとともに、図４（ｅ）（ｇ）に示すように把持面１６の側面視の断面形状の外形状が円弧形をなす。
【００２７】
＊  図３（ａ）（ｂ）及び図４（ｆ）（ｇ）に示すように把持面１６の頭部側領域Ｐに形成された各突起１８は、図３（ａ）（ｂ）及び図４（ｄ）（ｅ）に示すように把持面１６の尻部側領域Ｑに形成された各突起１８よりも、把持面１６に沿う外周縁間最大寸法Ｄの小さい各突起１８を多く含む。また、頭部側領域Ｐの各突起１８は、尻部側領域Ｑの各突起１８よりも、把持面１６に沿う間隔の広い各突起１８を多く含む。
【００２８】
＊  図４（ｄ）（ｅ）（ｆ）（ｇ）に示すように、各突起１８において、把持面１６からの高さＨは外周縁間最大寸法Ｄの小さい突起１８ほど小さくなっている。
＊  図３（ａ）及び図４（ｄ）（ｆ）に示すように、把持面１６の最大幅方向寸法ＷＢの部分付近には外周縁間最大寸法Ｄが最も大きい突起１８が形成され、把持面１６の最小幅方向寸法ＷＳの部分付近には外周縁間最大寸法Ｄが最も小さい突起１８が形成されている。
【００２９】
ちなみに、外周縁間最大寸法Ｄが最も小さい突起１８については、その外周縁間最大寸法Ｄに相当する直径が約０．８ｍｍ好ましくは０．３〜２．０ｍｍ、高さＨが約０．３ｍｍ好ましくは０．１〜０．５ｍｍにそれぞれ設定されている。また、外周縁間最大寸法Ｄが最も大きい突起１８については、その外周縁間最大寸法Ｄに相当する直径が約２．４ｍｍ好ましくは１．０〜４．０ｍｍ、高さＨが約０．５ｍｍ好ましくは０．３〜１．５ｍｍにそれぞれ設定されている。
【００３０】
＊  腹側把持部材７の内板部９及び外板部１０と背側把持部材８とはいずれも透明度の高い樹脂により成形されているため、把持面１６の各突起１８が背側把持部材８の外側から腹側把持部材７の内板部９及び外板部１０を通してシャンパンの泡のように見える。
【００３１】
本実施形態は下記の効果を有する。
（１）  把持面１６の頭部側領域Ｐで小さい各突起１８が把持面１６の尻部側領域Ｑよりも多く集まっているため、使用時にホルダ３を把持した際に、ホルダ３を見なくても、ホルダ３を把持しただけで、把持面１６の各突起１８における大きさがホルダ３の長手方向で変化する感触を得て、ホルダ３の向きを容易に認識することができる。従って、首振り式剃刀１の使い勝手を良くすることができる。
【００３２】
（２）  把持面１６の尻部側領域Ｑで大きい各突起１８が把持面１６の頭部側領域Ｐよりも多く集まっているため、使用時にホルダ３を把持した際に、腹面積の大きい親指側よりも腹面積の小さい小指側が尻部側領域Ｑの各突起１８に接触し、把持面１６に対する感触や安定性を良くしてホルダ３を把持し易い。
【００３３】
（３）  ホルダ３が尻部側領域Ｑよりも頭部側領域Ｐで細くなるため、使用時にホルダ３を把持し易い。
前記実施形態以外にも例えば下記のように構成してもよい。
【００３４】
・  ホルダにおいて、各突起を有する把持面については、ホルダの腹側と背側と幅方向両側とのうち少なくともいずれかに設けたり、ホルダの外周全体に設けたりしてもよい。
・  ホルダの把持部の外周形状は実施形態以外の各種形状に変更してもよい。
【００３５】
・  把持部材の材質については、透明度の高い樹脂ばかりでなく不透明な樹脂であってもよく、また、それらの樹脂以外に、金属や皮革などに変更してもよい。
・  各突起の表面の外形状については、前述したもの以外に、円柱形状や多角柱形状や円錐形状や多角錐形状などの種々のものに変更してもよい。
【００３６】
・  把持面の尻部側領域の各突起における外周縁間最大寸法と把持面の頭部側領域の各突起における外周縁間最大寸法との間の中間寸法を有する突起や、把持面の尻部側領域の各突起における高さと把持面の頭部側領域の各突起における高さとの間の高さを有する突起を、その尻部側領域及び頭部側領域でそれぞれ含んでいてもよい。
【００３７】
・  把持面の尻部側領域に設けた各突起は、把持面の頭部側領域に設けた各突起よりも把持面に沿う外周縁間最大寸法の小さい各突起を多く含むようにしてもよい。
・  首振り式剃刀以外に、剃刀ヘッドをホルダの頭部に固定した剃刀であってもよい。
【００３８】
次に、第一参考例にかかる剃刀パッケージについて図５〜１１を参照して説明する。
図５（ａ）に示すように、図１〜４及び図５（ｂ）に示す首振り式剃刀１と、図５（ｃ）に示すように吸盤２６を有する保管台２５とが収容される剃刀パッケージ２１は、透明樹脂で成形された外ケース２２と、各種説明文などが印刷された台紙２３と、透明樹脂で成形された内ケース２４と、透明樹脂で成形されたフィルム筒２７とからなる。図６に示すように、台紙２３は外ケース２２の底台部２８上に載置される。図７に示すように、内ケース２４は台紙２３上に載置される。その際、台紙２３から突出した突部２２ａに内ケース２４の突部２４ａが当接する。図８に示すように、首振り式剃刀１の孔１５に保管台２５の柱部２９が挿入された状態で、その保管台２５及び首振り式剃刀１が一緒に内ケース２４内に収容される。また、保管台２５のみを内ケース２４内に収容した後に、首振り式剃刀１も内ケース２４内に同様に収容してもよい。図９に示すように、外ケース２２の蓋部３０が外ケース２２の底台部２８上に被せられて台紙２３と内ケース２４と保管台２５と首振り式剃刀１とが外ケース２２内に収容され、蓋部３０の係止舌片部３０ａが図１１に示すように底台部２８の両切込み３０ｂに係入される。図１０及び図１１に示すように、外ケース２２の蓋部３０の両側に形成された一対の段差部３１ａ間の凹み３１をその段差部３１ａとともに覆うようにフィルム筒２７が外ケース２２の外周に巻かれ、そのフィルム筒２７が熱により収縮して凹み３１及びその段差部３１ａに密着するように嵌め込まれた状態で凹み３１の各段差部３１ａに係止されてフィルム筒２７の位置ずれが阻止される。フィルム筒２７には商品名や宣伝文句などが印刷されているとともに両ミシン目２７ａ及び舌片部２７ｂが設けられている。その舌片部２７ｂを摘んでフィルム筒２７を両ミシン目２７ａに沿って切断して除去すると、剃刀パッケージ２１を開くことができる。その舌片部２７ｂは省略してもよい。図１０に示すように、蓋部３０の外側四隅部には突起部３０ｃが形成され、複数の剃刀パッケージ２１を重ねた際にその各突起部３０ｃにより剃刀パッケージ２１間に隙間を生じさせて剃刀パッケージ２１の表面に生じ易い擦り傷などの損傷を防止する。
【００３９】
次に、第二参考例にかかる剃刀パッケージについて図１２〜１７を参照して説明する。第一参考例の図５、図６〜８、図９、図１０及び図１１は、それぞれ、第二参考例の図１２、図１３〜１４、図１５、図１６及び図１７に対応し、第二参考例は下記の点で第一参考例と異なる。
【００４０】
第一参考例において蓋部３０の係止舌片部３０ａは底台部２８の切込み３０ｂに係入される一対の係止部を有する形状になっているが、第二参考例において図１２，１４に示す蓋部３０の係止舌片部３０ａは底台部２８の切込み３０ｂに係入される一つの係止部を中央に有するおむすび形状になっている。図１３に示すように、台紙２３上に内ケース２４を載置するとともに、首振り式剃刀１の孔１５に保管台２５の柱部２９を挿入した状態でその保管台２５及び首振り式剃刀１を一緒に内ケース２４内に収容したセット物とする。図１４に示すように、そのセット物を外ケース２２の蓋部３０の内側に収容する。図１５に示すように、外ケース２２の蓋部３０と底台部２８とを互いに閉じると、図１２，１４に示すように底台部２８の両側に形成された舌片部２２ｂが蓋部３０の両側と内ケース２４の両側との間に挿入される。その際、図１２，１３に示すように内ケース２４の両側に形成された逃げ溝２４ｂに対し、舌片部２２ｂの両端部のうち外ケース２２の蓋部３０と底台部２８との間のヒンジ部側の端部が対向するため、舌片部２２ｂを挿入し易い。図１６，１７に示すように、外ケース２２の蓋部３０の両側に形成された一対の段差部３１ａ間の凹み３１内でフィルム筒２７が外ケース２２の外周に巻かれ、そのフィルム筒２７が熱により収縮して凹み３１及びその段差部３１ａに密着するように嵌め込まれた状態で凹み３１の各段差部３１ａに係止されてフィルム筒２７の位置ずれが阻止される。第一参考例においては図１１に示すようにフィルム筒２７の両ミシン目２７ａが蓋部３０の係止舌片部３０ａに対し離間しているが、第二参考例においては図１７に示すようにフィルム筒２７の両ミシン目２７ａが蓋部３０の係止舌片部３０ａに対し重なっている。フィルム筒２７において舌片部２７ｂの付近で両ミシン目２７ａ間の帯部には切断方向を示す矢印が印刷されている。
【００４１】
第一参考例及び第二参考例にかかる剃刀パッケージにおいては、台紙２３を除いて外ケース２２の蓋部３０及び底台部２８や内ケース２４やフィルム筒２７が透明樹脂により成形され、しかもそれらの外表面が湾曲せずにほぼ平坦に形成されているとともに、外周側面にはその底台部２８と蓋部３０との接合部などが図１１，１７に示すように形成されていないので、視界を邪魔することのないようになっている。そのため、外ケース２２の外側から内ケース２４内の首振り式剃刀１のホルダ３をありのまま見てそのホルダ３の把持面１６の突起１８を容易に確認することができる。従って、剃刀パッケージの購入者にホルダ３の把持に伴う剃刀の使い勝手の良さを伝えて、剃刀の購買意欲を高めることができる。
【００４２】
図１８に示すように、第一参考例及び第二参考例の剃刀パッケージ２１から保管台２５を取り出して吸盤２６により壁３２などに保持し、首振り式剃刀１の孔１５に保管台２５の柱部２９を挿入して保管台２５に首振り式剃刀１を引掛けて吊り下げることもできる。その場合、壁３２と首振り式剃刀１との間には指入れ空間Ｓが生じる。このように首振り式剃刀１を保管台２５に吊り下げた状態では、指が保管台２５の柱部２９により邪魔されて首振り式剃刀１の孔１５の内側領域に入り難いため、操作部１４に対する不用意な操作を防止することができる。壁３２などに保持した保管台２５から首振り式剃刀１を取り外す際には、前記実施形態で詳述したホルダ３の把持面１６などの構成と相俟って、ホルダ３の把持部５をしっかりと把持した状態で首振り式剃刀１を取り扱うことができる。
【符号の説明】
【００４３】
１…首振り式剃刀、２…剃刀ヘッド、２ａ…刃体、３…ホルダ、４…ホルダの頭部、５ａ…ホルダの尻部、１６…ホルダの腹側の把持面、１７…ホルダの背側の把持面、１８…腹側の把持面の突起、Ｐ…腹側の把持面の頭部側領域、Ｑ…腹側の把持面の尻部側領域、Ｄ…突起の外周縁間最大寸法、ＷＳ…腹側の把持面の最小幅方向寸法、ＷＢ…腹側の把持面の最大幅方向寸法、ＴＳ…ホルダの最小厚み方向寸法、ＴＢ…ホルダの最大厚み方向寸法。
【図１】
0005466037.tif 000002
【図２】
0005466037.tif 000003
【図３】
0005466037.tif 000004
【図４】
0005466037.tif 000005
【図５】
0005466037.tif 000006
【図６】
0005466037.tif 000007
【図７】
0005466037.tif 000008
【図８】
0005466037.tif 000009
【図９】
0005466037.tif 000010
【図１０】
0005466037.tif 000011
【図１１】
0005466037.tif 000012
【図１２】
0005466037.tif 000013
【図１３】
0005466037.tif 000014
【図１４】
0005466037.tif 000015
【図１５】
0005466037.tif 000016
【図１６】
0005466037.tif 000017
【図１７】
0005466037.tif 000018
【図１８】
0005466037.tif 000019